(57)【特許請求の範囲】
【請求項１】
遊技に供する遊技領域に臨む位置に開設した開口部をクリア部材で閉塞してなる遊技領域視認窓部を有する前面開閉枠を前面枠に備える遊技機において、
上記前面開閉枠は、前面側における上記遊技領域視認窓部の周囲を合成樹脂部材により構成して成り、
上記前面開閉枠の開放側には、上記遊技領域視認窓部とは別の表示窓を形成し、
上記表示窓の裏面側には、当該遊技機の遊技属性に関連した特定情報を記載表示してなる特定情報表示部材を該表示窓に後方より臨ませて保持する特定情報表示部材保持手段を設け、
上記特定情報表示部材保持手段は、上記前面開閉枠の開放側端部より特定情報表示部材をスライド挿入することにより着脱可能に保持する構成としたことを特徴とする遊技機。
【請求項２】
上記前面開閉枠の表示窓は、透光性のレンズ部材で形成したことを特徴とする請求項１に記載の遊技機。
【発明の詳細な説明】
【０００１】
【産業上の利用分野】
本発明は、遊技に供する遊技領域に臨む位置に開設した開口部をクリア部材で閉塞してなる遊技領域視認窓部を有する前面開閉枠を前面枠に備える遊技機に関する。
【０００２】
【従来の技術】
パチンコ機に代表される従来の遊技機は、パチンコ球等の遊技媒体を用いた遊技を行う遊技領域を内部に備え、この遊技領域を遊技者に視認可能にするための遊技領域視認窓部を前面開閉枠に設けていた。すなわち、前面開閉枠は、遊技領域に臨む位置に開設した開口部をガラス板等のクリア部材で遮蔽し、このクリア部材を所要形状の枠体で保持するような構造を備えるものであった。
【０００３】
また、従来の一般的な前面枠は、クリア部材の保持に機能を特化したガラス枠を備えており、金属で構成されたガラス枠の裏面側に設けたガラス保持体によってガラス板を保持するものとなっている。なお、各ガラス保持体には、ガラス板の縁部をスライド可能に支持し得るスライド溝が前後方向に２条形成されており、２枚のガラス板を上方より夫々スライド挿入することにより、ガラス枠に２枚のガラス板を保持させる構造となっていた。従って、ガラス枠に開設された開口窓は、２枚のガラス板によって裏面側より二重に遮蔽されるのである。
【０００４】
そして、ガラス板とガラス枠の前面開口部との間には微小間隙が生ずることとなるので、遊技店では、この間隙部へ「開放台」や「打止め台」等の当該遊技機の遊技属性に関連した特定情報を記載表示してなる薄板状の特定情報表示部材を差し込むことで、遊技者に特定情報を提示するような使い方をしていた。
【０００５】
【発明が解決しようとする課題】
しかし、上記したような従来の遊技機では、ガラス枠の前面開口部とガラス板との間にたまたま生じていた微小間隙を特定情報表示部材の定置に利用しているだけであり、遊技機毎の個体差によっては、特定情報表示部材の定置に適さないものもあり、表示部材がずれてしまったり、微小間隙からガラス枠内へ落ち込んでしまう等の不具合が生ずることもあった。加えて、特定情報の表示は、各遊技店が個別に定めて任意に行うものであることから、表示位置が区々で統一されておらず、必ずしも特定情報を効果的に遊技者へ認識させているとは言えない点もあった。
【０００６】
そこで、本発明は、特定遊技情報の表示を簡便且つ確実に行えると共に、遊技者へ特定情報を効果的に認識させることが可能な遊技機の提供を目的とする。
【０００７】
【課題を解決するための手段】
上記課題を解決するために、請求項１に係る遊技機は、遊技に供する遊技領域に臨む位置に開設した開口部をクリア部材で閉塞してなる遊技領域視認窓部を有する前面開閉枠を前面枠に備える遊技機において、上記前面開閉枠は、前面側における上記遊技領域視認窓部の周囲を合成樹脂部材により構成して成り、上記前面開閉枠の開放側には、上記遊技領域視認窓部とは別の表示窓を形成し、上記表示窓の裏面側には、当該遊技機の遊技属性に関連した特定情報を記載表示してなる特定情報表示部材を該表示窓に後方より臨ませて保持する特定情報表示部材保持手段を設け、上記特定情報表示部材保持手段は、上記前面開閉枠の開放側端部より特定情報表示部材をスライド挿入することにより着脱可能に保持する構成とした。
また、請求項２に係る遊技機は、上記請求項１において、前面開閉枠の表示窓は、透光性のレンズ部材で形成したことを特徴とする。
【０００８】
【作用】
遊技者に面する前面開閉枠の開放側端部よりスライド挿入する特定情報表示部材を特定情報表示部材保持手段で保持することにより、遊技者の視認可能な前面開閉枠の開放側に遊技領域視認窓部とは別の表示窓から特定情報の報知を確実に行うことが可能になる。また、特定情報表示部材は特定情報表示部材保持手段に対して着脱可能であることから、必要に応じて特定情報を適宜交換することができる。
【０００９】
【実施例】
次に、本発明に係る遊技機の実施例を添付図面に基づいて詳細に説明する。
【００１０】
遊技機１は図１に示すように、遊技に関連した各種機能を付加した四角箱枠状の機枠２と、プリペイドカード（所定の金額で予め販売されるパチンコ遊技用のカードであって、通貨と等価な有価データを磁気記録部に記憶させたカード状の記憶媒体）の使用を可能ならしめるカード制御機能や球貸制御機能等を備えるカード制御枠３とからなるもので、カード制御枠３と機枠２内の遊技関連機能とが有機的に接続されることで、遊技に供し得る遊技媒体としての遊技球の貸出機能を備えるものとなっている。
【００１１】
上記四角箱枠状の機枠２の前面側には、額縁状の前面枠４を回動可能に設けてあると共に、該前面枠４に開設した窓部をガラス枠５および前面パネル６を回動可能に設けて閉塞するものとしてある。また、図２に示すように、前面枠４は、ガイドレール７ａで囲まれた遊技に供し得る遊技領域７ｂを有する遊技盤７を内部に収納保持するものとしてあり、上記ガラス枠５の遊技領域７ｂに臨む所要位置には開口部５ａを開設して、透光性の良好なクリア部材としてのガラス板８を裏面側に設けたガラス保持体５ｂで保持することにより、上記開口部５ａを遮蔽した状態に保つ。
【００１２】
なお、上記遊技盤７は、パチンコ遊技の主体となるもので、ソレノイド等の電気的駆動源によって遊技球を弾発する打球発射装置（図示省略）によって発射された遊技球がガイドレール７ａを介して遊技領域７ｂへ供給されると、上記遊技領域７ｂ内に設けた各種入賞領域（図示省略）の何れかに入賞すると、賞品球としての賞球が遊技者に与えられ、何れの入賞領域にも入賞しなかった球は、アウト口より外れ球として回収される。また、ガラス枠５は金属フレーム等より構成することで、比較的厚肉状で重いガラス板８を保持するのに十分な強度を備えるものとしてある。
【００１３】
更に、上記ガラス枠５の前面側には、合成樹脂等によって意匠性を高めるように形成した装飾枠９を取り付けてあり、この装飾枠９には上部装飾体９ａ、側部装飾体９ｂ，９ｂ、縁部装飾体９ｃ等を設けてあり、各装飾体９ａ〜９ｃの裏面側に発光体を設けておくことにより、各種情報（例えば、遊技状態に関する特別遊技発生情報や、球補給・球排出等の動作状態に関する情報等）の発光表示が可能となる。
【００１４】
なお、縁部装飾体９ｃは、装飾枠９に開設した窓部の開口縁部に対応する形状としてあり、ガラス枠５および装飾枠９を介して遊技盤７の遊技領域７ｂを遊技機１の前面側より視認できるようにしてある。すなわち、本参考例に係る遊技機１においては、ガラス枠５の前面側へ装飾枠９を設けることで、遊技領域７ｂに臨む位置に開設した開口部５ａをクリア部材としてのガラス板８で遮蔽してなる遊技領域視認窓部１０ａを有する前面開閉枠１０として機能するのである。斯くすれば、遊技者に最も良く視認される前面開閉枠１０の装飾機能を高めることができるので、遊技機１全体の装飾性を高めることが可能となる。
【００１５】
また、図面に示す装飾枠９の上部装飾体９ａの左右両側部には、各々スピーカ９ｄ，９ｄを設けてある。斯くすれば、遊技者の面する遊技領域視認窓部１０ａの左右上方適所に音源が位置することとなるので、遊技機１の前面に座して遊技を行っている遊技者に適した音響効果を得ることができる。上述した装飾体９に設ける上部装飾体９ａ，側部装飾体９ｂ，縁部装飾体９ｃを発光表示させるための発光源やスピーカ９ｄ等は、遊技機１の裏面側に設けた電気的制御装置（図示省略）とフラット・ケーブル１０ｂを介して機能的に接続してあり、電気的制御装置によって動作制御されるものとしてある。
【００１６】
一方、上記前面開閉枠１０の下方に位置する前面パネル６には、賞球（打球が遊技領域７ｂ内に設けた入賞領域の何れかに入賞することに基づいて遊技者が獲得する球）や貸球（当該遊技店から遊技者に貸し出された球）を一旦貯留する球供給皿１１を設けてあり、この球供給皿１１から球送り装置（図示省略）へ遊技球を１個宛て送給し、該球送り装置から打球発射位置へ送り出された遊技球を打球発射装置によって弾発し、弾発球の流下状態によってゲームが展開されるのである。また、前面枠４の下部適所には打球発射機構を操作するための操作ハンドル１２や、上記球供給皿１１に貯留できない球を受け入れる球受皿１３等を適宜に設けてある。
【００１７】
なお、上記球供給皿１１の適所には、プリペイドカードの残度数を可視表示するためのカード残度数表示器１４，プリペイドカードの残度数の範囲内で球貸要求を行うための球貸ボタン１５，プリペイドカードの返却を要求するための返却ボタン１６等を設けてあり、上記カード制御枠３のカード挿入口１７からプリペイドカードを挿入することによって、プリペイドカードの残度数の範囲内で遊技球を借り受けることができるようにしてある。
【００１８】
而して、本発明に係る遊技機１においては、図３に示すように、当該遊技機１の遊技属性に関連した特定情報を記載表示してなる特定情報表示部材たる表示札１８を着脱可能に保持する特定情報表示部材保持手段として機能する表示札挿入口１９を、開閉前面枠１０を構成する装飾枠９の縁部装飾体９ｃに開設してある。この表示札挿入口１９内に挿入した表示札１８は、装飾枠９に設けた表示札支持部９ｅ上へ安定的に載置されるものとしてあり、表示札１８の配設位置がずれたり、装飾枠９内に落ち込んでしまうことの無いようにしてある（図４（ａ），（ｂ）参照）。
【００１９】
なお、図４（ａ）に示す特定情報表示部材保持手段においては、表示札１８をガラス板８の前面に当接させた状態で表示札挿入口１９へ挿入するものとしてあるので、表示札１８の差し替え作業等を比較的簡便に行うことができ、図４（ｂ）に示す特定情報表示部材保持手段においては、ガラス板８の前面に当接する表示札裏面支持部９ｆを表示札支持部９ｅに連設してあるので、ガラス板８の前面と装飾枠９との間に隙間が生じていても、表示札１８が裏面側に落下することを防げると共に、表示札１８の入れ替え毎にガラス板８の前面を表示札１８の裏面が擦過して傷つけることを防げるのである。
【００２０】
また、表示札１８に記載表示する特定情報とは、例えば、当該遊技機１の過去の遊技状況に基づいて設定された情報（「開放台」や「打止台」等）や、当該遊技機が設置されている島設備の条件に基づいて設定された情報（「禁煙台」や「喫煙台」等）や、当該遊技機１において行える遊技内容の概略情報（遊技説明等）等の、当該遊技機１の遊技属性に関する情報全般のことである。
【００２１】
上記参考例においては、薄板状の表示札１８によって特定情報表示部材を構成するものとしたが、特定情報表示部材はこれに限定されるものではなく、特定情報表示部材保持手段に応じた任意形状に設定することができる。例えば、図５に示すように、凸形状の縁部装飾体９ｃを特定情報表示部材保持手段として用いた場合には、縁部装飾体９ｃの外表面に対して嵌合形状となる断面コ字状の嵌合凹部２０ａを有する特定遊技情報表示部材２０を用いるようにしても良い。斯くすれば、特定情報表示部材２０によって遊技領域視認窓部１０ａの視認可能な領域を狭めることがないので、特定情報表示部材自体を比較的大きく形成することができる。
【００２２】
また、本参考例においては、特定遊技情報表示部材２０が容易に脱することを防ぐために、係止片２０ｂを設けて、該係止片２０ｂを縁部装飾体９ｃの後端部とガラス板８の前面との間に嵌め入れるものとしてある。さらに、上記のような断面コ字状の特定情報表示部材２０を用いた場合には、上面及び側面を特定情報表示面として使用することができるので、表示の自由度を高めることができる。なお、本参考例においては、縁部装飾体９ｃの下辺部によって特定情報表示部材２０を保持するものとしたが、縁部装飾体９ｃ凸形状が下辺部と左右側辺部とで同じであった場合、縁部装飾体９ｃの左右両側部に対しても特定情報表示を行うことが可能となって、表示可能な特定情報量を増やすことができる。しかしながら、遊技者に所定の特定情報を一定場所に限定して報知することが効果的な場合には、例えば、縁部装飾体９ｃの下辺部と左右両側部との幅等を異ならしめて、特定情報表示部材２０の設置場所を所定位置に限定すればよい。
【００２３】
上述した各参考例においては、前面開閉枠１０に対して直接的に特定遊技情報表示部材保持手段を形成するものを示したが、これに限定されるものではなく、特定遊技情報表示部材保持手段自体を着脱可能なように設けても良い。例えば、図６に示すように、縁部装飾体９ｃの外表面に対して嵌合形状となる断面コ字状の嵌合凹部２１ａを有する表示札保持部材２１を用いるものとし、係止片２１ｂを縁部装飾体９ｃの後端部とガラス板８の前面との間に嵌め入れて表示札保持部材２１を縁部装飾体９ｃに保持させ、該表示札保持部材２１に形成した前後一対の表示札支持片２１ｃ，２１ｃ間に表示札１８′を嵌め込むのである。
【００２４】
斯くすれば、既存の前面開閉枠１０に対して特定情報表示部材保持手段としての機能を簡便に付加することができると共に、表示部材の形状や種別毎に異なる特定情報表示部材保持手段を用いることも可能となるので、遊技機１としての汎用性が高まる。
【００２５】
なお、上記した各参考例においては、比較的簡単に特定遊技情報表示部材の着脱が可能であることから、心無い遊技者の悪戯等で特定情報表示部材が外される可能性もある。そこで、比較的長期間に亘って変化しない特定情報を表示する場合には、例えば縁部装飾体９ｃに表示札嵌入凹部２２を形成しておき、該表示札嵌入凹部２２に対して嵌合形状となる表示札１８″を嵌め入れた状態でビス止めするようにしても良い。また、特定溶剤等で剥離可能な接着剤を用いて表示札１８″を表示札嵌入凹部２２へ貼着するようにしても良い。
【００２６】
上記した各参考例においては、金属フレーム等でガラス板８を保持してなるガラス枠５と装飾枠９とで前面開閉枠１０を構成するものとしたが、本発明はこれらと異なる。例えば、本発明の実施例として図８に示す遊技機１′における機枠２′の前面枠４の窓部を前面開閉枠２３によって塞ぐものとしてあり、該前面開閉枠２３は、ガラス板８を保持するガラス枠の機能と、前面を装飾する装飾枠の機能とを一体的に備えるものとしてある。なお、図８，９において上記参考例と同一の構成には同一符号を付して説明を省略する。
【００２７】
前面開閉枠２３の前面側は合成樹脂部材２３ａより構成するものとして、上部装飾体９ａ，側部装飾体９ｂ，縁部装飾体９ｃ，スピーカ９ｄ等を備える。また、合成樹脂部材２３ａの裏面側には金属板等の補強プレート２３ｂ…を装着することで、ガラス板８の保持に十分な強度を持たせてある。なお、補強プレート２３ｂ…の配設形状と、合成樹脂部材２３ａの縁部装飾体９ｃの形状とを適宜に設定することで、遊技領域７ｂの前面に臨む遊技領域視認窓部２３ｃが形成されるようにしてある。
【００２８】
而して、上記のように構成した前面開閉枠２３の適所（図面に示す実施例においては右下方部）に表示窓２３ｄを形成してある。この表示窓２３ｄは例えば透光性の良好なレンズ部材で形成し、該表示窓２３ｄの裏面側に位置する表示札支持ポケット２３ｅに表示札２４をスライド挿入すると、表示札２４に記載表示した内容が表示窓２３ｄを介して遊技機１′の前面側から視認することができるのである。すなわち、本実施例においては、表示窓２３ｄと表示札支持ポケット２３ｅが、遊技機１′の遊技属性に関連した特定情報を記載表示してなる特定情報表示部材としての表示札２４を着脱可能に保持する特定情報表示部材保持手段を構成するのである。なお、本実施例の如く表示窓２３ｄをレンズ部材で形成しておけば、表示札２４に記載表示した内容が拡大されるので、遊技者への視認効果を高めることが可能となる。
【００２９】
【発明の効果】
以上説明したように、本発明に係る遊技機によれば、遊技者に面する前面開閉枠の開放側端部よりスライド挿入する特定情報表示部材を特定情報表示部材保持手段で保持することにより、遊技者の視認可能な前面開閉枠の開放側に遊技領域視認窓部とは別の表示窓から特定情報の報知を確実に行うことが可能になる。従って、特定情報表示部材がずれ落ちたりして、適正な情報表示機能を発揮できないような事態を極力防止できると共に、予め定めた所定位置に統一されて情報表示が為されることから、遊技者の特定情報認識が容易となって、遊技者への情報報知を効果的に行うことができる。
【００３０】
加えて、特定情報表示部材は特定情報表示部材保持手段に対して着脱可能であることから、必要に応じて特定情報を適宜交換することができ、遊技機毎の個体差等に煩わされることなく、特定情報表示部材の交換作業等を効率的に行うことができる。
【図面の簡単な説明】
【図１】  遊技機の参考例を示す斜視図である。
【図２】  参考例に係る遊技機の前面開閉枠を開放した状態の斜視図である。
【図３】  前面開閉枠の腰部と開閉パネルの斜視図である。
【図４】  （ａ）特定情報表示部材としての情報表示パネルをガラス面に当接させて取り付ける特定情報表示部材保持手段の腰部縦断面図である。
（ｂ）特定情報表示部材としての情報表示パネルをガラス面から離隔させて取り付ける特定情報表示部材保持手段の腰部縦断面図である。
【図５】  装飾部材を特定情報表示部材保持手段として用いる第１参考例を示す腰部斜視図である。
【図６】  装飾部材へ着脱可能に形成した特定情報表示部材保持手段を示す腰部斜視図である。
【図７】  装飾部材を特定情報表示部材保持手段として用いる第２参考例を示す腰部斜視図である。
【図８】  本発明に係る遊技機の実施例を示す斜視図である。
【図９】  本発明の実施例に係る遊技機の前面開閉枠を開放した状態の斜視図である。
【符号の説明】
１    遊技機
５    ガラス枠
５ａ  開口部
９    装飾枠
９ｃ  縁部装飾体
９ｅ  表示札支持部
１０    前面開閉枠
１０ａ  遊技領域視認窓部
１８    表示札
１９    表示札挿入口
【図１】
0003667368.tif 000002
【図２】
0003667368.tif 000003
【図３】
0003667368.tif 000004
【図４】
0003667368.tif 000005
【図５】
0003667368.tif 000006
【図６】
0003667368.tif 000007
【図７】
0003667368.tif 000008
【図８】
0003667368.tif 000009
【図９】
0003667368.tif 000010